(57)【特許請求の範囲】
【請求項１】
用紙搬送経路（８０）の両側に配置され上刃（２）および下刃（４）をそれぞれ保持する箱状の上ユニット（２２）および下ユニット（２４）と、上刃（２）と下刃（４）で用紙搬送方向（９０）に切断された用紙の切断線に関する一側（１１ａ）を他側（１１ｂ）と異なる方向に案内するガイド板（３２）とを備え、上記用紙の搬送方向両端側を切断するスリッタ装置（１０）において、
上記上ユニット（２２）と上記下ユニット（２４）を連結する連結部材（２６）を備え、該連結部材（２６）は、その一端側（２６ａ）が上記上ユニット（２２）の用紙搬送方向（９０）の下流側側面に、他端側（２６ｂ）が上記下ユニット（２４）の用紙搬送方向（９０）の下流側側面に、上記用紙搬送経路（８０）に対して垂直となるようにそれぞれ結合され、上記用紙搬送経路上において、上刃（２）と下刃（４）との噛合い部分より用紙幅方向（９２）内側に切り欠きを有し、上記噛み合い部分より用紙幅方向（９２）外側に上記一端部（２６ａ）と上記他端部（２６ｂ）とを連結する連結部（２６ｃ）を有することを特徴とするスリッタ装置。
【請求項２】
用紙搬送経路（８０）の両側に配置され、互いに平行かつ用紙幅方向（９２）に延在し回転する上回転軸（６２）および下回転軸（６４）と、
該上回転軸（６２）および下回転軸（６４）に沿って移動可能に配置され、用紙搬送経路（８０）の両側に上刃（２）および下刃（４）をそれぞれ保持し、上刃（２）と下刃（４）で用紙を用紙搬送方向（９０）に切断する、切断ユニット（２０）と、
該切断ユニット（２０）を用紙幅方向（９２）に位置決めする位置決め手段（２８，６０）とを備え、
上記切断ユニット（２０）は、
用紙搬送経路（８０）の上下にそれぞれ配置され、上記上回転軸（６２）および下回転軸（６４）にそれぞれ遊嵌する箱状の上ユニット（２２）と下ユニット（２４）と、
該上ユニット（２２）および下ユニット（２４）に回転自在かつ軸方向移動不自在にそれぞれ支持され、上記上回転軸（６２）および下回転軸（６４）が挿通されてこれらの回転軸に対して軸方向移動自在かつ回転方向移動不自在にそれぞれ係合し、上刃（２）および下刃（４）をそれぞれ保持する上刃ホルダー（４０）および下刃ホルダー（５０）と、
上端側が上記上ユニット（２２）に固定され、該上端側から、上刃（２）と下刃（４）との噛合い部分より用紙幅方向（９２）外側において、略用紙搬送方向（９０）に下向きに延在し、切断された用紙の切断線に関して用紙幅方向外側部分（１１ａ）を用紙幅方向内側部分（１１ｂ）から分離して下方に案内するガイド板（３２）と、
上部（２６ａ）が上記上ユニット（２２）の用紙搬送方向（９０）の下流側側面に、下部（２６ｂ）が上記下ユニット（２４）の用紙搬送方向（９０）の下流側側面に、上記用紙搬送経路（８０）に対して垂直となるようにそれぞれ結合され、上記用紙搬送経路上において、上記噛み合い部分より用紙幅方向（９２）内側に切り欠きを有し、上記噛み合い部分より用紙幅方向（９２）外側に上記上部（２６ａ）と上記下部（２６ｂ）とを連結する連結部（２６ｃ）を有する連結部材（２６）と、
を備えたことを特徴とするスリッタ装置。
【発明の詳細な説明】
【０００１】
【発明の属する技術分野】
本発明は、スリッタ装置に関する。
【０００２】
【従来の技術】
従来、用紙の縁を切り落とすスリッタ装置としては種々のタイプのものが提供されている。
【０００３】
たとえば図１の要部正面図に示したのは、上刃２と下刃４とが噛合った状態で収納された２組の切断ユニット６を用紙幅方向（用紙搬送方向と直角方向）両側に備えたタイプのものである。このタイプのスリッタ装置１では、切断ユニット６を用紙幅方向に位置決めすることによって、用紙の両縁の切り落とし幅をそれぞれ設定できる。切断ユニット６は、上刃２を保持する上部６ａと下刃４を保持する下部６ｂとを連結部６ｃによって結合してなるが、用紙が通る部分には切り欠き７を設けている。そのため、用紙の切り落とし幅は、切り欠き７内に突出する上刃２と下刃４の噛合部から用紙幅方向外側へ連結部６ｃに達するまでの幅ａより大きくすることはできない。
【０００４】
ところで、用紙の切り落とし幅を大きくするためには、この幅ａを大きくすればよいが、そうすると、切断ユニット６の幅も、当然、大きくなる。切断ユニット６の幅が大きくなると、用紙の切り落とし幅が小さいときや用紙の縁を全く切り落とさないときに切断ユニット６を用紙幅方向外側に退避させるために、より大きなスペースが必要となり、したがって装置１の幅寸法が大きくなってしまう。
【０００５】
装置１の幅を大きくせずに用紙の切り落とし幅を自由にとれるようにするには、たとえば用紙の中央を切断するセンタースリッタ装置のように、上刃と下刃を独立させることが考えられる。しかし、上刃と下刃を独立させると、上刃と下刃の用紙幅方向の位置調整をそれぞれ別個に行う必要があり、二度手間となる。また、刃がむき出しとなるため危険である。
【０００６】
【発明が解決しようとする課題】
したがって、本発明が解決しようとする技術的課題は、上刃と下刃の位置決めを同時に行うことができ、装置の幅を大きくすることなく用紙の切り落とし幅を自由に設定できるようにしたスリッタ装置を提供することである。
【０００７】
【課題を解決するための手段】
本発明は、上記技術的課題を解決するために、以下の構成のスリッタ装置を提供する。
【０００８】
スリッタ装置は、用紙搬送経路の両側に配置され上刃および下刃をそれぞれ保持する箱状の上ユニットおよび下ユニットと、上刃と下刃で用紙搬送方向に切断された用紙の切断線に関する一側を他側と異なる方向に案内するガイド板とを備えたタイプのものである。スリッタ装置は、上記上ユニットと上記下ユニットを連結する連結部材を備え、該連結部材は、その一端側が上記上ユニットの用紙搬送方向の下流側側面に、他端側が上記下ユニットの用紙搬送方向の下流側側面に、上記用紙搬送経路に対して垂直となるようにそれぞれ結合され、上記用紙搬送経路上において、上刃と下刃との噛合い部分より用紙幅方向内側に切り欠きを有し、上記噛み合い部分より用紙幅方向外側に上記一端部と上記他端部とを連結する連結部を有する。
【０００９】
上記構成によれば、上刃部と下刃部とは連結部材で結合されて一体となる。このとき、上刃と下刃とが噛合う状態で一体化し、切断ユニットを構成し、この切断ユニットを適宜な位置決め手段によって位置決めすることによって、上刃と下刃とを同時に位置決めすることができる。連結部材は、ガイド板に関して、ガイド板で案内される用紙一側とは反対側、すなわち上刃および下刃とは反対側を通るので、切断された用紙と干渉しないようにすることができる。上刃部と下刃部とは、それぞれ用紙搬送経路の片側だけに配置し、用紙と干渉しないように構成することができる。したがって、切断ユニットは、上刃および下刃との噛合い部分とガイド板以外、用紙と干渉しないように構成することができる。このように構成すれば、切断ユニットを用紙幅方向の任意位置に自由に配置することができ、切断ユニットすなわち上刃部および下刃部の幅寸法とは無関係に、用紙の切り落とし幅を自由に設定することができる。
【００１０】
したがって、上刃と下刃の位置決めを同時に行うことができ、装置の幅を大きくすることなく用紙の切り落とし幅を自由に設定できる。
【００１１】
なお、上記構成において、上刃および下刃は、回転刃に限られず、たとえば、直線運動する刃であっても、さらには、静止した刃であってもよい。また、上刃および下刃が独立して駆動されるように構成しても、連動して駆動されるように構成してもよい。
【００１２】
具体的には、以下のように構成することが好ましい。
【００１３】
スリッタ装置は、用紙搬送経路の両側に配置され、互いに平行かつ用紙幅方向に延在し回転する、上回転軸および下回転軸と、
該上回転軸および下回転軸に沿って移動可能に配置され、用紙搬送経路の両側に上刃および下刃をそれぞれ保持し、上刃と下刃で用紙を用紙搬送方向に切断する、切断ユニットと、
該切断ユニットを用紙幅方向に位置決めする位置決め手段とを備え、
上記切断ユニットは、
用紙搬送経路の上下にそれぞれ配置され、上記上回転軸および下回転軸にそれぞれ遊嵌する箱状の上ユニットと下ユニットと、
該上ユニットおよび下ユニットに回転自在かつ軸方向移動不自在にそれぞれ支持され、上記上回転軸および下回転軸が挿通されてこれらの回転軸に対して軸方向移動自在かつ回転方向移動不自在にそれぞれ係合し、上刃および下刃をそれぞれ保持する上刃ホルダーおよび下刃ホルダーと、
上端側が上記上ユニットに固定され、該上端側から、上刃と下刃との噛合い部分より用紙幅方向外側において、略用紙搬送方向に下向きに延在し、切断された用紙の切断線に関して用紙幅方向外側部分を用紙幅方向内側部分から分離して下方に案内するガイド板と、
上部が上記上ユニットの用紙搬送方向の下流側側面に、下部が上記下ユニットの用紙搬送方向の下流側側面に、上記用紙搬送経路に対して垂直となるようにそれぞれ結合され、上記用紙搬送経路上において、上記噛み合い部分より用紙幅方向内側に切り欠きを有し、上記噛み合い部分より用紙幅方向外側に上記上部と上記下部とを連結する連結部を有する連結部材とを備えたことを特徴とする。
【００１４】
上記構成によれば、切断ユニットを、上回転軸および下回転軸に沿って用紙幅方向に移動し、位置決め手段で用紙幅方向に位置決めできる。切断ユニットは、上刃および下刃との噛合い部分以外に、ガイド板が用紙の切断線より幅方向外側に干渉するだけであり、他に搬送される用紙と干渉する部分がないように構成できる。
【００１５】
したがって、上刃と下刃の位置決めを同時に行うことができ、装置の幅を大きくすることなく用紙の切り落とし幅を自由に設定できる。
【発明の実施の形態】
以下、図面を参照しながら、本発明の一実施形態に係るスリッタ装置１０について詳細に説明する。図２はスリッタ装置１０の構成図、図３は要部斜視図、図４は要部断面図、図５は切断ユニットの正面断面図、図６は切断ユニットの側面図、図７は切断ユニットの背面図である。
【００１６】
まず、図２を参照しながら、スリッタ装置１０の全体構成について説明する。
【００１７】
このスリッタ装置１０は、左右にピン孔列を有する連続用紙１１の左右の縁を所定幅で切り落とすとともに、連続用紙１１の折り曲げ部に形成されているミシン目に沿って用紙を分離して、紙受け台１８に回収する装置である。連続用紙１１は、不図示の給紙台に載置される。用紙１１は、その両側に形成されたピン孔列に係合するピントラクタ１２によって、図において左側に搬送される。そして、詳しくは後述するが、用紙幅方向両側の所定位置にそれぞれ固定された一対の切断ユニット２０の上刃２と下刃４によって、その左右両側部分１１ａが所定幅で切り落とされる。
【００１８】
用紙１１の中央部分１１ｂは、回転する固定搬送ローラ対１４に挟持されてさらに搬送され、可動搬送ローラ対１７の間を通過する。可動搬送ローラ対１７は、固定搬送ローラ対１４よりも速い周速で、たとえば１.４倍の周速で回転している。可動搬送ローラ対１７の上側ローラは、下側ローラに対して接離自在に配置され、常時は上方に退避し、所定タイミングで下方に移動し、用紙１１の中央部分１１ｂをミシン目に沿って分離するようになっている。
【００１９】
詳しくは、固定搬送ローラ対１４と可動搬送ローラ対１７との間は、カッター１５と、用紙先端の通過を検知する透過型センサ１６とが設けられている。センサ１６が用紙先端を検知してから所定時間が経過し、用紙のミシン目がカッター１５の近傍に達した所定タイミングで、可動搬送ローラ対１７の上側ローラが下方に移動して用紙を挟持する。これによって、後側が固定搬送ローラ対１４に挟持されている用紙は、その前側が、固定搬送ローラ対１４よりも高速で回転する可動搬送ロ−ラ対１７に挟持されて引っ張られ、ミシン目がカッター１５に押し当てられ、ミシン目に沿って分離する。分離した用紙は、紙受け台１８上に載置され、回収される。
【００２０】
次に、切断ユニット２０およびその周辺の機構について説明する。
【００２１】
まず、装置本体側について説明する。図３および図４に示すように、装置本体１０ａには、用紙搬送経路８０の上方に、用紙幅方向９２に延在する案内軸６０が固定され、切断ユニット２０を用紙幅方向９２に案内するとともに、所定位置に固定できるようになっている。また、用紙搬送経路８０を挟んで上下には、用紙幅方向９２に互いに平行に延在する上回転軸６２および下回転軸６４がそれぞれ配置され、同期して回転し、切断ユニット２０の上刃２（図３では図示せず）および下刃４をそれぞれ駆動するようになっている。
【００２２】
切断ユニット２０は、大略、箱状の上ユニット２２と下ユニット２４とが連結板２６により結合してなる。上ユニット２２は、用紙搬送経路８０の上側に配置され、上刃２を保持する。下ユニット２４は、用紙搬送経路８０の下側に配置され、下刃４を保持する。上刃２と下刃４とによって切断された用紙のうち、用紙外側部分（縁部分）は、上ガイド板３２および下ガイド板３４の間を通って下方に導かれ、用紙内側部分（中央部分）は水平方向に搬送される。連結板２６は、上ガイド板３２の用紙案内側とは反対側で、上ユニット２２および下ユニット２４に結合する。
【００２３】
詳しくは、図５に示すように、上ユニット２２および下ユニット２４には、それぞれ、上刃２および下刃４を保持する大略筒形状の上刃ホルダー４０および下刃ホルダー５０が、ベアリング２３，２５によって回転自在に支持され、内部に収納されている。各ホルダー４０，５０は、上回転軸６２および下回転軸６４がそれぞれ挿通される中空穴４２，５２と、中空穴４２，５２に連通するキー穴４４，５４とを有する。上回転軸６２および下回転軸６４には、図６に示すように、軸方向に延在するキー溝６２ｓ，６４ｓが形成されていて、不図示のキーによって、各ホルダー４０，５０が上回転軸６２および下回転軸６４と矢印９２で示す軸方向に移動自在かつ回転不自在に係合するようになっている。
【００２４】
上刃２は、上ユニット２２の上刃ホルダー４０の用紙中央側に突設されたフランジ４６に、コイルバネ４７によって付勢されるようになっている。上刃ホルダー４０の用紙外側には、このコイルバネ４７を押さえるカラー４８が配置され、その移動を止めるＣリング４９が上刃ホルダー４０の外周面に係合するようになっている。下刃４は、下ユニット２４の下刃ホルダー５０の用紙中央側端に焼き嵌めで固定されている。
【００２５】
図６に示すように、上ユニット２２には、用紙搬送方向９０に下方に延在する上ガイド板３２が固定されていて、上刃２および下刃４で切断された用紙のうち外側部分１１ａが下方に導かれるようになっている。また、下ユニット２４には、上ガイド板３２に沿ってその下側に延在する下ガイド板３４が固定されていて、用紙の外側部分１１ａの巻き込みを防ぐようになっている。
【００２６】
連結板２６は、図７に示すように、切り欠き２７が設けられ、切断後の用紙の中央側１１ｂと干渉しないようになっている。換言すると、連結板２６は、上ユニット２２と結合する上部２６ａと下ユニット２４と結合する下部２６ｂとを連結する連結部２６ｃが、上刃２と下刃４の噛合い部分よりも用紙幅方向外側にある。
【００２７】
上ユニット２２には、図５に示すように、案内軸６０が挿通されるスリーブ２２ａが設けられ、挿通された案内軸６０に対して直角方向にねじ部２２ｂが形成されている。ねじ部２２ｂには、摘みねじ２８が螺合し、そのねじ先端部が案内軸６０に接離可能に当接し、切断ユニット２０を固定できるようになっている。
【００２８】
次に、このスリッタ装置１０の切断ユニット２０の動作について説明する。
【００２９】
まず、摘みねじ２８を緩めて、左右の切断ユニット２０を案内軸６０に沿って移動し、摘みねじ２８を締めて、切断ユニット２０を用紙幅方向９２の所定位置に固定する。スリッタ装置１０の運転を開始すると、図３において矢印９３〜９６で示すように、上回転軸６２および下回転軸６４は、駆動ベルト６６から歯車６２ａ、６４ａ、６４ｂを介して回転が伝達され、それぞれ所定方向に同期して回転する。上刃２および下刃４を支持する上刃ホルダー４０および下刃ホルダー５０は上回転軸６２および下回転軸６４にそれぞれキー結合しているので、上回転軸６２および下回転軸６４と一体的に回転し、上刃２および下刃４が同期して所定方向に回転する。
【００３０】
ピントラクタ１２によって搬送された連続用紙１１が、上刃２および下刃４の噛合い位置に達すると、上刃２および下刃４によって、用紙１１は搬送方向に切断される。切断された用紙のうち外側部分１１ａは、上ガイド板３２および下ガイド板３４の間を通って下方に導かれ、不図示の回収容器に回収される。用紙中央側部分１１ｂはそのまま水平に搬送され、連結板２６の切り欠き２７を通過して、前述したようにミシン目で分離され、紙受け台１８に回収される。
【００３１】
以上のように構成されたスリッタ装置１０において、切断ユニット２０は、常に噛合う上刃２と下刃４とを収納しているので、切断ユニット２０を位置決めすれば、上刃２および下刃４を同時に位置決めすることができる。また、切断ユニット２０は、上刃２と下刃４との噛合い位置に対して、用紙幅方向９２には、用紙搬送方向９２の前後を含め、上ガイド板３２以外に用紙搬送経路８０と干渉する部分がないので、用紙幅方向９２に自由に位置決めすることができる。つまり、用紙の切り落とし幅に応じて、切断ユニット２０、ひいてはスリッタ装置１０の幅を大きくする必要はない。さらに、上刃２と下刃４とは切断ユニット２０内に収納し、露出しないように周囲を覆っているので、安全である。
【００３２】
なお、本発明は、上記実施形態に限定されるものではなく、その他種々の態様で実施可能である。
【００３３】
たとえば、連続紙用のスリッタ装置に限定されるものではなく、所定寸法に切断された単票用紙の縁を切断するスリッタ装置に適用することも可能である。また、１つの切断ユニット２０だけを備え、用紙の片側だけを切断するようにしてもよい。また、用紙前後の切断と用紙縁の切断との順序は問わないし、用紙前後を切断しない構成であってもよい。さらには、用紙搬送方向は水平に限定されず、たとえば、垂直にすることも可能である。
【図面の簡単な説明】
【図１】  従来例のスリッタ装置の要部正面図である。
【図２】  本発明の一実施形態に係るスリッタ装置の全体構成図である。
【図３】  図２のスリッタ装置の要部斜視図である。
【図４】  図２のスリッタ装置の要部断面図である。
【図５】  切断ユニットの正面断面図である。
【図６】  図５の切断ユニットの側面図である。
【図７】  図５の切断ユニットの背面図である。
【符号の説明】
２  上刃
４  下刃
１０  スリッタ装置
１０ａ  装置本体
１１  連続用紙
１１ａ  切り落とし部分
１１ｂ  中央部分
１２  ピントラクタ
１４  固定搬送ローラ対
１５  カッター
１６  センサ
１７  可動搬送ローラ対
１８  紙受け台
２０  切断ユニット
２２  上ユニット（上刃部、上支持部）
２２ａ  スリーブ
２２ｂ  ねじ部
２３  ベアリング
２４  下ユニット（下刃部、下支持部）
２５  ベアリング
２６  連結板（連結部材、連結部）
２６ａ  上部
２６ｂ  下部
２６ｃ  連結部
２７  切り欠き
２８  摘みねじ（位置決め手段）
３２  上ガイド板（ガイド板）
３４  下ガイド板
４０  上刃ホルダー
４２  中空穴
４４  キー穴
４６  フランジ
４７  コイルバネ
４８  カラー
４９  Ｃリング
５０  下刃ホルダー
５２  中空穴
５４  キー穴
６０  案内軸（位置決め手段）
６２  上回転軸
６２ａ  歯車
６２ｓ  キー溝
６４  下回転軸
６４ａ，６４ｂ  歯車
６４ｓ  キー溝
６６  駆動ベルト
８０  用紙搬送経路
９０  用紙搬送方向
９２  用紙幅方向
９３〜９６  駆動方向
【図１】
0004328398.tif 000002
【図２】
0004328398.tif 000003
【図３】
0004328398.tif 000004
【図４】
0004328398.tif 000005
【図５】
0004328398.tif 000006
【図６】
0004328398.tif 000007
【図７】
0004328398.tif 000008